(57)【要約】      （修正有）【課題】ユーザーが多種の運動を選択的に使用できるよう多種の異なる運動方法を１つの運動器具にて提供する構成を有する多機能プッシュアップバーを提供する。【解決手段】第一端２５と第二端２６の間に第一円弧形辺縁２８を備える第一側板２と、第四端３５と第五端３６の間は第二円弧形辺縁３８を備える第二側板３と、両端が第一、第二側板２、３にそれぞれ連接するグリップ４と、第一枢設軸両端が第一端２５及び第四端３５にそれぞれ連接し、第一外筒５３は地面回転ができるように第一枢設軸を被覆する第一ローラー５と、第二枢設軸両端が第三端２７及び第六端３７にそれぞれ連接し、第二外筒６３は地面回転ができるように第二枢設軸を被覆する第二ローラー６と、を含む。【選択図】図１
0003222645.tif 000002
【実用新案登録請求の範囲】
【請求項１】
多機能プッシュアップバーにおいて、
第一左側面及び第一右側面を含み、前記第一左側面及び前記第一右側面の間は、三角形状に分布した第一端、第二端及び第三端を備え、前記第一端と前記第二端との間に第一円弧形辺縁を備える第一側板と、
前記第一側板に平行で、第二左側面及び第二右側面を含み、前記第二左側面及び前記第二右側面の間は、三角形状に分布した第四端、第五端及び第六端を備え、前記第四端と前記第五端の間に第二円弧形辺縁を備え、前記第二円弧形辺縁は前記第一円弧形辺縁に左右対応し、前記第一円弧形辺縁と同じ円弧度を備える第二側板と、
両端が前記第一側板の前記第一左側面及び前記第二側板の前記第二右側面にそれぞれ連接するグリップと、
第一枢設軸及び第一外筒を含み、前記第一枢設軸の両端は、前記第一側板の前記第一端及び前記第二側板の前記第四端にそれぞれ連接し、前記第一枢設軸が前記第一側板の前記第一左側面と前記第二側板の前記第二右側面との間に定位することに拠って、前記第一外筒が地面回転できるように前記第一枢設軸に被覆された第一ローラーと、
第二枢設軸及び第二外筒を含み、前記第二枢設軸の両端は、前記第二側板の前記第三端及び前記第二側板の前記第六端にそれぞれ連接し、前記第二枢設軸を前記第一側板の前記第一左側面と前記第二側板の前記第二右側面との間に定位することに拠って、前記第二外筒が地面回転できるように前記第二枢設軸に被覆された第二ローラーと、
を含むことを特徴とする多機能プッシュアップバー。
【請求項２】
前記第一側板は、第一側面開口を備える第一框体と、前記第一側面開口を閉じる第一蓋板とを含み、
前記第一框体は、第一丸孔と、第二丸孔と、第三丸孔とを備えることを特徴とする請求項１記載の多機能プッシュアップバー。
【請求項３】
前記第二側板は、第二側面開口を備える第二框体と、前記第二側面開口を閉じる第二蓋板とを含み、
前記第二框体は、第四丸孔と、第五丸孔と、第六丸孔とを備えることを特徴とする請求項１または２記載の多機能プッシュアップバー。
【請求項４】
前記多機能プッシュアップバーは、更に第一套管を含み、
前記第一套管は、前記第一枢設軸を被覆し、前記第一枢設軸の外周辺縁と前記第一外筒の内周辺縁との間で挟持され、前記第一套管の内周辺縁は、複数個が環状に配列され且つ軸方向に延びた第一内凸条を備えることを特徴とする請求項１〜３のいずれかに記載の多機能プッシュアップバー。
【請求項５】
前記第一套管の外周辺縁は、複数個が環状に配列され且つ軸方向に延びた第一外凸条を備えることを特徴とする請求項４に記載の多機能プッシュアップバー。
【請求項６】
前記多機能プッシュアップバーは、更に第二套管を含み、
前記第二套管は、前記第二枢設軸を被覆し、前記第二枢設軸の外周辺縁と前記第二外筒の内周辺縁との間で挟持され、前記第二套管の内周辺縁は、複数個が環状に配列され且つ軸方向に延びた第二内凸条を備えることを特徴とする請求項１〜５のいずれか１項に記載の多機能プッシュアップバー。
【請求項７】
前記第二套管の外周辺縁は、複数個が環状に配列され且つ軸方向に延びる第二外凸条を備えることを特徴とする請求項６記載の多機能プッシュアップバー。
【考案の詳細な説明】
【技術分野】
【０００１】
本考案は、多機能プッシュアップバーに関し、特にユーザーの身体の多数部位に対してトレーニング効果をもたらす多機能プッシュアップバーに関する。
【背景技術】
【０００２】
現在のプッシュアップバーは、主に二個の相互並列の横向支持桿及び一個の逆Ｕ字形グリップを含み、逆Ｕ字形グリップの両端は二個の横向支持桿の中央位置上にそれぞれ固定されている。このような構成は、考案文献１に開示されている。
【０００３】
ユーザーは、両手でプッシュアップバーの逆Ｕ字形のグリップをそれぞれ握って腕立て伏せ運動を行うと、身体と地面との距離が広がり身体の可動幅が増えるため、トレーニング効果が向上する。
【０００４】
また、現在、よく見かける腹筋ローラーは、主に筐体と、筐体を貫通する直桿とを含み、筐体は、一個または二個のローラーを含む。このような構成は、考案文献２に開示されている。
【０００５】
直桿が筐体を貫通した状態において、筐体の両側にはグリップが成形され、ユーザーが前方向に傾け、且つ両手で筐体両側のグリップをそれぞれ握った時、地面で前向きに押したり、後ろ向きに引いたりしてユーザーの腰部をトレーニングして体を鍛える効果を達成する。
【先行技術文献】
【特許文献】
【０００６】
【特許文献１】実用新案第３２０７２９６号
【特許文献２】実用新案第３２１１６５３号
【考案の概要】
【考案が解決しようとする課題】
【０００７】
解決しようとする問題点は、実際にトレーニングする際、一般にプッシュアップバーの訓練効果は単一で、異なるトレーニングをするために異なる使い方を実施しにくい。
【０００８】
更に、上述の二種運動器具の訓練機能は、相互に交換することは出来ない。拠って、仮に上述の二種の運動器具を用いた訓練の必要がある場合、それぞれ別に購入し、保管しなければならないといった問題があった。
【０００９】
本考案は、上記問題点に鑑みてなされたものであり、ユーザーが多種の運動を選択的に使用できるよう多種の異なる運動方法を１つの運動器具にて提供する構成を有することにより、異なるトレーニング効果を達成でき、異なる運動器具を購入する費用を節約し、運動器具の保管空間も節約することができる構成を具備する多機能プッシュアップバーを提供することを目的とする。
【００１０】
尚、公知技術の構造には、上述の欠点があるため、考案者は長年の経験及びたゆまぬ研究開発を進め、本考案を考案した。
【課題を解決するための手段】
【００１１】
本考案は、多機能プッシュアップバーにおいて、第一左側面及び第一右側面を含み、前記第一左側面及び前記第一右側面の間は、三角形状に分布した第一端、第二端及び第三端を備え、前記第一端と前記第二端との間に第一円弧形辺縁を備える第一側板と、前記第一側板に平行で、第二左側面及び第二右側面を含み、前記第二左側面及び前記第二右側面の間は、三角形状に分布した第四端、第五端及び第六端を備え、前記第四端と前記第五端の間に第二円弧形辺縁を備え、前記第二円弧形辺縁は前記第一円弧形辺縁に左右対応し、前記第一円弧形辺縁と同じ円弧度を備える第二側板と、両端が前記第一側板の前記第一左側面及び前記第二側板の前記第二右側面にそれぞれ連接するグリップと、第一枢設軸及び第一外筒を含み、前記第一枢設軸の両端は、前記第一側板の前記第一端及び前記第二側板の前記第四端にそれぞれ連接し、前記第一枢設軸が前記第一側板の前記第一左側面と前記第二側板の前記第二右側面との間に定位することに拠って、前記第一外筒が地面回転できるように前記第一枢設軸に被覆された第一ローラーと、第二枢設軸及び第二外筒を含み、前記第二枢設軸の両端は、前記第二側板の前記第三端及び前記第二側板の前記第六端にそれぞれ連接し、前記第二枢設軸を前記第一側板の前記第一左側面と前記第二側板の前記第二右側面との間に定位することに拠って、前記第二外筒が地面回転できるように前記第二枢設軸に被覆された第二ローラーと、を含む。
【考案の効果】
【００１２】
本考案によれば、ユーザーが多種の運動を選択的に使用できるよう多種の異なる運動方法を１つの運動器具にて提供する構成を有することにより、異なるトレーニング効果を達成でき、異なる運動器具を購入する費用を節約し、運動器具の保管空間も節約することができる構成を具備する多機能プッシュアップバーを提供することができる。
【図面の簡単な説明】
【００１３】
【図１】本考案の多機能プッシュアップバーの立体外観図
【図２】図１のプッシュアップバーの部品分解図
【図３】図１のプッシュアップバーの第一ローラーの側面図
【図４】図１のプッシュアップバーを用いた腕立て付せ訓練の際の仕様状態図
【図５】図１のプッシュアップバーを用いた平行感覚訓練の際の仕様状態図
【図６】図１のプッシュアップバーを用いた腹筋訓練の際の仕様状態図
【考案を実施するための形態】
【００１４】
プッシュアップバーを使用した訓練効果が単一の問題を解決するため、ユーザーの必要に応じ、ユーザー身体のその他部位に対してもそれぞれ異なるトレーニング効果をもたらす。
【００１５】
更にユーザーが選択使用できる更に多種の異なる運動方法を提供して、異なるトレーニング効果を達成し、異なる運動器具の費用を節約し、保管空間も節約する多機能プッシュアップバーを提供することを本考案の目的とする。
【００１６】
上述の目的を達成するため、本考案の多機能プッシュアップバーは、第一側板、第二側板、グリップ、第一ローラー及び第二ローラーを含む。そのうち、第一側板は第一左側面及び第一右側面を含み、第一左側面及び第一右側面の間は、三角形状に分布した第一端、第二端及び第三端を備え、第一端と第二端の間は第一円弧形辺縁を備える。第二側板は第一側板に平行し、第二側板は第二左側面及び第二右側面を含み、第二左側面及び第二右側面の間は三角形状に分布した第四端、第五端及び第六端を備え、第四端と第五端の間は第二円弧形辺縁を備え、第二円弧形辺縁は第一円弧形辺縁に左右相対し、第一円弧形辺縁と同じ円弧度を備える。グリップの両端は、第一側板の第一左側面及び第二側板の第二右側面にそれぞれ連接する。第一ローラーは第一枢設軸及び第一外筒を含み、第一枢設軸の両端は第一側板の第一端及び第二側板の第四端にそれぞれ連接する。第一枢設軸を第一側板の第一左側面及び第二側板の第二右側面の間に定位することに拠って、第一外筒は地面回転方式ができるように第一枢設軸を被覆する。第二ローラーは第二枢設軸及び第二外筒を含み、第二枢設軸の両端は第二側板の第三端及び第二側板の第六端にそれぞれ連接し、第二枢設軸を第一側板の第一左側面及び第二側板の第二右側面の間に定位させることに拠って、第二外筒係地面回転方式ができるように第二枢設軸を被覆する。
【００１７】
本考案を更に深く理解するため、以下に詳細に説明する。
【実施例１】
【００１８】
図１から図３に示すのは、本考案の多機能プッシュアップバー１の良好な実施例であり、第一側板２と、第二側板３と、グリップ４と、第一ローラー５と、第二ローラー６とを含む。
【００１９】
第一側板２は、ほぼ三角形の形状であり、図２に示すように、第一側面開口２１１を備える第一框体２１と、第一側面開口２１１を閉じる第一蓋板２２とを含む。
【００２０】
第一框体２１の左側板面上に、三角形状に分布した第一丸孔２１２と、第二丸孔２１３と、第三丸孔２１４とを備える。
【００２１】
第一框体２１の左側板面は、第一左側面２３を備え、第一左側面２３の反対の第一蓋板２２は、第一右側面２４を備えている。
【００２２】
第一左側面２３と第一右側面２４との間は三角形状に分布した第一端２５と、第二端２６と、第三端２７とを備えている。
【００２３】
第一端２５と第二端２６との間は外凸の第一円弧形辺縁２８を備え、第一円弧形辺縁２８の外周辺縁は滑り止め条が貼着されている。
【００２４】
第一丸孔２１２及び第三丸孔２１４は、第一端２５及び第三端２７にそれぞれ隣接する。
【００２５】
第二側板３と第一側板２との形状、大きさは同じで、且つ第二側板３と第一側板２とは相互に平行する。
【００２６】
第二側板３は、第二側面開口３１１を備える第二框体３１と、第二側面開口３１１を閉じる第二蓋板３２とを含む。
【００２７】
第二框体３１の右側板面上に、三角形状に分布した第四丸孔３１２、第五丸孔３１３と、第六丸孔３１４とを備える。
【００２８】
第二框体３１の右側板面は、第二右側面３３を備え、第二右側面３３の反対の第二蓋板３２は、第二左側面３４を備えている。
【００２９】
第二右側面３３と第二左側面３４との間は三角形状に分布した第四端３５と、第五端３６と、第六端３７とを備えている。
【００３０】
第四端３５と第五端３６との間は外凸の第二円弧形辺縁３８を備え、第二円弧形辺縁３８は、第一円弧形辺縁２８に対して左右相対し、更に第一円弧形辺縁２８と同じ弧度を備える。第二円弧形辺縁３８の外周辺縁は滑り止め条が貼着されている。
【００３１】
第四丸孔３１２及び第六丸孔３１４は第四端３５及び第六端３７にそれぞれ隣接する。
【００３２】
グリップ４は、枢設軸４１と、枢設軸４１を被覆する外筒４２とを含んでいる。枢設軸４１の両端は、第二丸孔２１３及び第五丸孔３１３にそれぞれ挿入されて第一側板２及び第二側板３に対してそれぞれ固定されることにより、グリップ４を第一側板２と第二側板３との間に定位させる。実施時、グリップ４は単一材で構成する。
【００３３】
第一ローラー５は、第一枢設軸５１と、第一套管５２と、第一外筒５３とを含んでいる。
【００３４】
第一枢設軸５１の両端は、第一丸孔２１２及び第四丸孔３１２にそれぞれ挿入されて第一側板２の第一端２５及び第二側板３の第四端３５にそれぞれ固定されることにより、第一枢設軸５１を第一側板と第二側板３との間に固定させる。
【００３５】
第一套管５２は、第一枢設軸５１を被覆するとともに、第一枢設軸５１の外周辺縁と第一外筒５３の内周辺縁の間で挟持されている。
【００３６】
また、第一套管５２の内周辺縁は、複数個が環状に配列し且つ軸方向に延びた第一内凸条５２１を備え、第一枢設軸５１との間の摩擦力を減らすことで、第一外筒５３の回転をスムーズにさせる。
【００３７】
さらに、第一套管５２の外周辺は複数個が環状に配列し且つ軸方向に延びた第一外凸条５２２を備える。
【００３８】
第二ローラー６は、第二枢設軸６１と、第二套管６２と、第二外筒６３とを含んでいる。
【００３９】
第二枢設軸６１の両端は、第三丸孔２１４及び第六丸孔３１４にそれぞれ挿入されて第一側板２の第三端２７及び第二側板３の第六端３７にそれぞれ固定されることにより、第二枢設軸６１を第一側板と第二側板３との間に固定させる。
【００４０】
第二套管６２は、第二枢設軸６１を被覆するとともに、第二枢設軸６１の外周辺縁と第二外筒６３の内周辺縁の間で挟持されている。
【００４１】
また、第二套管６２の内周辺縁は、複数個が環状に配列し且つ軸方向に延びる第二内凸条６２１を備え、第二枢設軸６１の間の摩擦力を減らすことで、第二外筒６３の回転を更にスムーズにさせる。
【００４２】
さらに、第二套管６２の外周辺縁は、複数個が環状に配列し且つ軸方向に延びる第二外凸条６２２を備える。
【産業上の利用可能性】
【００４３】
これらに拠って、図４に示すとおり、ユーザーの両手でそれぞれ二個のグリップ４,４’を握り、且つ二個の第一ローラー５,５’が同時に最上端に位置する時、本考案はプッシュアップバーとして使用できる。
【００４４】
図５に示すとおり、ユーザーの両手がそれぞれ二個の第二ローラー６,６’を握り、且つ二組の第一円弧形辺縁２８,２８’及び第二円弧形辺縁３８,３８’を同時に地面に押圧する時、本考案はプッシュアップバーとして使用でき、並びに同時に平衡感覚を訓練する。
【００４５】
また図６に示すとおり、ユーザーの両手が二個のグリップ４,４’をそれぞれ握り、且つ二組の第一ローラー５,５’及び第二ローラー６,６’が同時に地面を押圧する時、本考案は腹筋ローラーとして使用できる。
【００４６】
以上から、上述に述べた内容によって、本考案の予定した目的を達成し、ユーザーが選択使用できる多種異なる運動方法を提供して異なるトレーニング効果を達成するだけでなく、且つ異なる運動器具を購入する費用を節約し、並びに保管空間を節約する多機能プッシュアップバーによって、産業上の利用性を備えるため、本実用新案を申請する。
【符号の説明】
【００４７】
１…多機能プッシュアップバー
２…第一側板
３…第二側板
４…グリップ
４’…グリップ
５…第一ローラー
５’…第一ローラー
６…第二ローラー
６’…第二ローラー
２１…第一框体
２２…第一蓋板
２３…第一左側面
２４…第一右側面
２５…第一端
２６…第二端
２７…第三端
２８…第一円弧形辺縁
２８’…第一円弧形辺縁
３１…第二框体
３２…第二蓋板
３３…第二右側面
３４…第二左側面
３５…第四端
３６…第五端
３７…第六端
３８…第二円弧形辺縁
３８’…第二円弧形辺縁
４１…枢設軸
４２…外筒
５１…第一枢設軸
５２…第一套管
５３…第一外筒
６１…第二枢設軸
６２…第二套管
６３…第二外筒
２１１…第一側面開口
２１２…第一丸孔
２１３…第二丸孔
２１４…第三丸孔
３１１…第二側面開口
３１２…第四丸孔
３１３…第五丸孔
３１４…第六丸孔
５２１…第一内凸条
５２２…第一外凸条
６２１…第二内凸条
６２２…第二外凸条
【図１】
0003222645.tif 000003
【図２】
0003222645.tif 000004
【図３】
0003222645.tif 000005
【図４】
0003222645.tif 000006
【図５】
0003222645.tif 000007
【図６】
0003222645.tif 000008